(57)【要約】【課題】美観を損ねることなく連結筒部が車体パネルやトランクパネルに接触して破損することを防止できるグロメットを提供する。【解決手段】グロメット１は弾性材料で構成されかつパネル４，６に設けられた孔５，７内に嵌合する一対の嵌合筒部２と前記一対の嵌合筒部２同士を連結しかつ少なくとも中央部に蛇腹状の蛇腹筒部１１を設けた連結筒部３とを一体に備えている。蛇腹筒部１１の内面に当該内面から凸でかつこの蛇腹筒部１１の長手方向に沿って延在したリブ１２が設けられている。リブ１２が蛇腹筒部１１の軸芯Ｐを挟んで互いに相対する位置に一対設けられている。【選択図】図１
2010148203.tif 000002
【特許請求の範囲】
【請求項１】
弾性材料で構成され、かつ、
パネルに設けられた孔内に嵌合する一対の嵌合筒部と、
前記一対の嵌合筒部同士を連結しかつ少なくとも中央部に蛇腹状の蛇腹筒部を設けた連結筒部と、を一体に備えたグロメットにおいて、
前記蛇腹筒部の内面に当該内面から凸でかつこの蛇腹筒部の長手方向に沿って延在したリブが設けられていることを特徴とするグロメット。
【請求項２】
前記リブが、前記蛇腹筒部の軸芯を挟んで互いに相対する位置に一対設けられていることを特徴とする請求項１記載のグロメット。
【請求項３】
前記リブが、前記蛇腹筒部の前記一対の嵌合筒部のうちの一方の嵌合筒部寄りの一端部に設けられていることを特徴とする請求項１又は請求項２記載のグロメット。
【発明の詳細な説明】
【技術分野】
【０００１】
本発明は、ゴムなどの弾性材料で構成されて、互いの間隔をあけた一対のパネル間に架け渡されるワイヤハーネスを内側に収容するグロメットに関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ワイヤハーネスを配索している。ワイヤハーネスは、互いに束ねられた複数の電線と、これらの電線の端末などに取り付けられたコネクタなどを備えている。この種のワイヤハーネスは、自動車の車体を構成する車体パネルとこの車体パネルに対して回転自在なトランクパネルとに亘って架け渡されることがあり、この架け渡されたワイヤハーネスを保護するために従来から種々のグロメット（特許文献１参照）が用いられている。
【０００４】
この特許文献１に示されたグロメットは、ゴムなどの弾性材料で構成され、かつ前述した車体パネルとトランクパネルとのそれぞれに設けられた孔内に嵌合する筒状の一対の嵌合筒部と、これら一対の嵌合筒部同士を連結した筒状の連結筒部とを一体に備えている。連結筒部は、嵌合筒部に連なった円筒状でかつ前記嵌合筒部よりも小径の小径筒部と、これらの小径筒部間に設けられかつ蛇腹状の蛇腹筒部とを備えている。蛇腹筒部の外周面には、当該外周面から凸でかつ連結筒部の長手方向に沿って延在したリブが設けられている。
【０００５】
前述したグロメットは、一方の嵌合筒部と連結筒部と他方の嵌合筒部とに亘って即ち全長に亘って筒状に形成されて、内側にワイヤハーネスを通す。そして、グロメットは、一方の嵌合筒部が車体パネルとトランクパネルとのうちの一方に設けられた孔内に嵌合し、他方の嵌合筒部が車体パネルとトランクパネルとのうちの他方に設けられた孔内に嵌合して、ワイヤハーネスを車体パネルとトランクパネルとに亘って配索する。そして、グロメットは、リブが蛇腹筒部の当該リブが設けられた箇所が曲がることを防止して、トランクパネルが車体パネルに回転して、連結筒部が曲がったり伸ばされる際に、この連結筒部が車体パネルやトランクパネルなどに接触して、破損することを防止している。
【特許文献１】特開２００８-９２６４４号公報
【発明の開示】
【発明が解決しようとする課題】
【０００６】
前述した特許文献１に示されたグロメットは、蛇腹筒部の外周面から凸のリブを設けているために、このリブが前述した車体パネルやトランクパネルに接触して、リブが破損してしまい、最悪の場合には、連結筒部が車体パネルやトランクパネルに接触して破損してしまうことが考えられる。また、前述した特許文献１に示されたグロメットは、蛇腹筒部の外周面から凸のリブを設けているために、このリブにより美観を損ねるおそれがあった。
【０００７】
したがって、本発明の目的は、美観を損ねることなく連結筒部が車体パネルやトランクパネルに接触して破損することを防止できるグロメットを提供することにある。
【課題を解決するための手段】
【０００８】
前記課題を解決し目的を達成するために、請求項１に記載の本発明のグロメットは、弾性材料で構成され、かつ、パネルに設けられた孔内に嵌合する一対の嵌合筒部と、前記一対の嵌合筒部同士を連結しかつ少なくとも中央部に蛇腹状の蛇腹筒部を設けた連結筒部と、を一体に備えたグロメットにおいて、前記蛇腹筒部の内面に当該内面から凸でかつこの蛇腹筒部の長手方向に沿って延在したリブが設けられていることを特徴としている。
【０００９】
請求項２に記載の本発明のグロメットは、請求項１記載のグロメットにおいて、前記リブが、前記蛇腹筒部の軸芯を挟んで互いに相対する位置に一対設けられていることを特徴としている。
【００１０】
請求項３に記載の本発明のグロメットは、請求項１又は請求項２記載のグロメットにおいて、前記リブが、前記蛇腹筒部の前記一対の嵌合筒部のうちの一方の嵌合筒部寄りの一端部に設けられていることを特徴としている。
【００１１】
請求項１に記載した本発明のグロメットによれば、蛇腹筒部の内面に当該内面から凸のリブを設けている。このために、リブが、蛇腹筒部が曲げられたり伸ばされる際に、当該蛇腹筒部が過度に曲がることを防止して、車体パネルなどに接触することを勿論防止できる。
【００１２】
請求項２に記載した本発明のグロメットによれば、リブを蛇腹筒部の軸芯を挟んで相対する位置に一対設けているので、蛇腹筒部のこれらリブが設けられた部分が曲がりにくく、リブが設けられていない部分が曲がりやすくなる。
【００１３】
請求項３に記載した本発明のグロメットによれば、リブが蛇腹筒部の一端部のみに設けられているので、当該一端部のみの当該リブが設けられた部分が曲がりにくく、このリブが設けられた部分以外が曲がりやすくなる。
【００１４】
前記グロメットは、前記リブが、前記蛇腹筒部の全長に亘って設けられていてもよい。
【００１５】
この場合、リブが蛇腹筒部の全長に亘って設けられているので、当該蛇腹筒部の全長に亘って当該リブが設けられた部分が曲がりにくく、リブが設けられていない部分が曲がりやすくなる。
【００１６】
また、本発明では、リブが断面矩形状に形成されてもよく、リブが断面弓形状に形成されても良い。
【発明の効果】
【００１７】
以上説明したように請求項１に記載の本発明は、リブが、蛇腹筒部が曲げられたり伸ばされる際に、車体パネルなどに接触することを勿論防止できるので、当該リブが破損し、蛇腹筒部即ち連結筒部が車体パネルなどに接触して、破損することを防止することができる。また、リブが蛇腹筒部の内面に設けられているので、当該リブが蛇腹筒部即ち連結筒部の美観を損ねることを防止できる。
【００１８】
請求項２に記載の本発明は、蛇腹筒部のこれらリブが設けられた部分が曲がりにくく、リブが設けられていない部分が曲がりやすくなるので、蛇腹筒部の曲がる方向を規制することができ、当該蛇腹筒部即ち連結筒部が車体パネルなどに接触することを確実に防止できる。
【００１９】
請求項３に記載の本発明は、蛇腹筒部の一端部のみの当該リブが設けられた部分が曲がりにくく、このリブが設けられた部分以外が曲がりやすくなるので、蛇腹筒部の曲がる方向を規制することができ、当該蛇腹筒部即ち連結筒部が車体パネルなどに接触することを確実に防止できる。
【００２０】
前記リブが、前記蛇腹筒部の全長に亘って設けられている場合には、蛇腹筒部の全長に亘って当該リブが設けられた部分が曲がりにくく、リブが設けられていない部分が曲がりやすくなるので、蛇腹筒部の曲がる方向を規制することができ、当該蛇腹筒部即ち連結筒部が車体パネルなどに接触することを確実に防止できる。
【発明を実施するための最良の形態】
【００２１】
以下、本発明の第１の実施形態にかかるグロメットを図１ないし図４に基づいて説明する。本実施形態にかかる図１に示すグロメット１は、移動体としての自動車に搭載される。
【００２２】
グロメット１は、ゴムなどの弾性材料で構成され、かつ、図１に示すように、一対の嵌合筒部２と、一つの連結筒部３とを一体に備えている。
【００２３】
嵌合筒部２は、外観が厚手の円盤状の円筒状に形成されている。一方の嵌合筒部２は、前記自動車の車体を構成するパネルとしての車体パネル４（図１に一点鎖線で示す）に設けられた孔５内に嵌合して、当該車体パネル４に取り付けられる。
【００２４】
他方の嵌合筒部２は、前記自動車の車体パネル４に対して回転自在に設けられたパネルとしてのトラックパネル  （図１に一点鎖線で示す）に設けられた孔７内に嵌合して、当該トランクパネル６に取り付けられる。
【００２５】
また、一方の嵌合筒部２には、外側小径筒部８が連なっている。外側小径筒部８は、外径が一方の嵌合筒部２よりも小径の円筒状に形成されており、当該一方の嵌合筒部２の内縁部から他方の嵌合筒部２よりも離れる方向に延在しているとともに、当該一方の嵌合筒部２と同軸に配置されている。
【００２６】
さらに、他方の嵌合筒部２には、ハーネス固定片９が連なっている。ハーネス固定片９は、帯板状に形成されており、当該他方の嵌合筒部２の内縁部から一方の嵌合筒部２よりも離れる方向に延在している。
【００２７】
連結筒部３は、図１及び図２に示すように、一対の小径筒部１０（図１に示す）と、一つの蛇腹筒部１１と、一対のリブ１２とを備えている。小径筒部１０は、それぞれ、嵌合筒部２に連なった円筒状に形成されている。
【００２８】
小径筒部１０は、嵌合筒部２から互いに近づく方向に延在している。小径筒部１０は、外径が嵌合筒部２の外径よりも小さく形成されている。小径筒部１０は、その全長に亘って外径が一定に形成されている。
【００２９】
蛇腹筒部１１は、一対の小径筒部１０間に配置されかつこれら一対の小径筒部１０を互いに連結している。蛇腹筒部１１は、蛇腹状の円筒状に形成されている。蛇腹筒部１１は、その最大の外径が、小径筒部１０の外径と等しく形成されている。
【００３０】
一対のリブ１２は、それぞれ、蛇腹筒部１１の内面から凸に形成され、かつ当該蛇腹筒部１１の長手方向に沿って直線状に延在しているとともに、蛇腹筒部１１の全長に亘って設けられている。また、リブ１２は、図３に示すように、断面矩形状に形成されているとともに、蛇腹筒部１１の内側寄りの先端面１２ａの全体が、当該蛇腹筒部１１の最も小径な部分の内面と面一に形成されている。また、一対のリブ１２は、図３に示すように、蛇腹筒部１１の軸芯（中心軸）Ｐ（図１中に一点鎖線で示す）を挟んで、互いに相対する位置に配置されている。
【００３１】
連結筒部３は、一対の小径筒部１０とこれらの小径筒部１０間に設けられた蛇腹筒部１１とを備えて、中央部に蛇腹筒部１１を設けている。
【００３２】
前述した構成のグロメット１は、外側小径筒部８と一方の嵌合筒部２と連結筒部３と他方の嵌合筒部２とに亘って即ち全長に亘って円筒状に形成されて、内側に前述した自動車に配索されるワイヤハーネス１３（図１中に二点鎖線で示す）を通す。そして、グロメット１は、ハーネス固定片９とワイヤハーネス１３の外周にテープが巻かれるとともに、外側小径筒部８とワイヤハーネス１３の外周にテープが巻かれて、当該ワイヤハーネス１３が固定される。
【００３３】
そして、グロメット１は、一方の嵌合筒部２が車体パネル４に設けられた孔５内に嵌合し、他方の嵌合筒部２がトランクパネル６に設けられた孔７内に嵌合して、ワイヤハーネス１３を車体パネル４とトランクパネル６とに亘って配索する。そして、グロメット１は、リブ１２が蛇腹筒部１１の当該リブ１２が設けられた箇所が曲がることを防止して、トランクパネル６が車体パネル４に対して回転して、連結筒部３の特に蛇腹筒部１１が曲がったり伸ばされる際に、この連結筒部３が車体パネル４やトランクパネル６などに接触して、破損することを防止する。
【００３４】
本実施形態によれば、蛇腹筒部１１の内面に当該内面から凸のリブ１２を設けている。このために、リブ１２が、蛇腹筒部１１が曲げられたり伸ばされる際に、当該蛇腹筒部１１が過度に曲がることを防止して、車体パネル４やトランクパネル６に接触することを勿論防止できる。
【００３５】
このために、リブ１２が車体パネル４やトランクパネル６に接触して破損し、蛇腹筒部１１即ち連結筒部３が車体パネル４やトランクパネル６に接触して、破損することを防止することができる。また、リブ１２が蛇腹筒部１１の内面に設けられているので、当該リブ１２が蛇腹筒部１１即ち連結筒部３の美観を損ねることを防止できる。
【００３６】
また、リブ１２を蛇腹筒部１１の軸芯Ｐを挟んで相対する位置に一対設けているので、蛇腹筒部１１のこれらリブ１２が設けられた部分が曲がりにくく、リブ１２が設けられていない部分が曲がりやすくなる。このために、蛇腹筒部１１が、一方のリブ１２が縮小し他方のリブが伸張する方向である図２中の矢印Ｓ方向に曲がり難くなり、一対のリブ１２の双方が同方向に湾曲する方向である図２中の矢印Ｗ方向に曲がり易くなる。このように、リブ１２を、軸芯Ｐを挟んで互いに相対する位置に一対設けることで、蛇腹筒部１１の曲がる方向を規制することができ、当該蛇腹筒部１１即ち連結筒部３が車体パネル４やトランクパネル６に接触することを確実に防止できる。
【００３７】
さらに、リブ１２が蛇腹筒部１１の全長に亘って設けられているので、当該蛇腹筒部１１の全長に亘って当該リブ１２が設けられた部分が曲がりにくく、リブ１２が設けられていない部分が曲がりやすくなる。このために、蛇腹筒部１１の全長に亘って、当該蛇腹筒部１１の曲がる方向を規制することができ、当該蛇腹筒部１１即ち連結筒部３が車体パネル４やトランクパネル６に接触することを確実に防止できる。
【００３８】
また、本実施形態では、リブ１２の先端面１２ａを前述した部分の内面と面一に形成したが、本発明では、図５に示すように、先端面１２ａが前述した部分の内面よりも蛇腹筒部１１の外周側に位置付けられる位置まで、リブ１２を蛇腹筒部１１の内面から凸に形成しても良く、図６に示すように、先端面１２ａが前述した部分の内面よりも蛇腹筒部１１の内周側に位置付けられる位置まで、リブ１２を蛇腹筒部１１の内面から凸に形成しても良い。これらの場合も前述した第１の実施形態と同様の効果を奏でる。
【００３９】
次に、本発明の第２の実施形態にかかるグロメット１を図７〜図１１に基づいて説明する。なお、前述した第１の実施形態と同一部分には、同一符号を付して説明を省略する。
【００４０】
本実施形態では、図７、図８、図１０及び図１１に示すように、リブ１２は、蛇腹筒部１１の内面から凸の断面弓形状に形成されている。また、図９に示すように、リブ１２は、蛇腹筒部１１の全長に亘って設けられ、かつ図１０に示すように、蛇腹筒部１１の軸芯Ｐを挟んで互いに相対する位置に一対設けられている。さらに、リブ１２は、その先端面１２ａが平坦に形成されている。リブ１２は、蛇腹筒部１１の内面からの突出量が、その先端面１２ａの中央部が前述した部分の内面と面一となる突出量に形成されている。
【００４１】
本実施形態においても、前述した第１の実施形態と同様に、リブ１２が、蛇腹筒部１１が曲げられたり伸ばされる際に、当該蛇腹筒部１１が過度に曲がることを防止して、車体パネル４やトランクパネル６に接触することを勿論防止できる。このために、リブ１２が車体パネル４やトランクパネル６に接触して破損し、蛇腹筒部１１即ち連結筒部３が車体パネル４やトランクパネル６に接触して、破損することを防止することができる。また、リブ１２が蛇腹筒部１１の内面に設けられているので、当該リブ１２が蛇腹筒部１１即ち連結筒部３の美観を損ねることを防止できる。
【００４２】
また、本実施形態においても、前述した第１の実施形態と同様に、本発明では、図１２に示すように、先端面１２ａの中央部が前述した部分の内面よりも蛇腹筒部１１の外周側に位置付けられる位置まで、リブ１２を蛇腹筒部１１の内面から凸に形成しても良く、図１３に示すように、先端面１２ａの中央部が前述した部分の内面よりも蛇腹筒部１１の内周側に位置付けられる位置まで、リブ１２を蛇腹筒部１１の内面から凸に形成しても良い。これらの場合も前述した実施形態と同様の効果を奏でる。
【００４３】
さらに、前述した第１の実施形態及び第２の実施形態では、リブ１２を蛇腹筒部１１の全長に亘って形成したが、本発明では、図１４に示すように、当該リブ１２を蛇腹筒部１１の一方の嵌合筒部２寄りの一端部のみに設けてもよい。この場合、リブ１２が蛇腹筒部１１の一端部のみに設けられているので、当該一端部のみの当該リブ１２が設けられた部分が曲がりにくく、このリブ１２が設けられた部分以外が曲がりやすくなる。このために、蛇腹筒部１１の曲がる方向を規制することができ、当該蛇腹筒部１１即ち連結筒部３が車体パネル４などに接触することを確実に防止できる。
【００４４】
なお、前述した実施形態は本発明の代表的な形態を示したに過ぎず、本発明は、実施形態に限定されるものではない。即ち、本発明の骨子を逸脱しない範囲で種々変形して実施することができる。例えば、小径筒部１０を設けずに、蛇腹筒部１１を直接嵌合筒部２に一体に連結させてもよい。
【図面の簡単な説明】
【００４５】
【図１】本発明の第１の実施形態に係るグロメットの断面を示す斜視図である。
【図２】図１に断面が示されたグロメットの蛇腹筒部を拡大して示す斜視図である。
【図３】図１中のＩＩＩ−ＩＩＩ線に沿う断面図である。
【図４】図３中のＩＶ部を拡大して示す断面図である。
【図５】図４に示されたグロメットの変形例の断面図である。
【図６】図４に示されたグロメットの他の変形例の断面図である。
【図７】本発明の第２の実施形態に係るグロメットの断面を示す斜視図である。
【図８】図７に断面が示されたグロメットの蛇腹筒部を拡大して示す斜視図である。
【図９】図７に示されたグロメットの蛇腹筒部の断面図である。
【図１０】図７中のＸ−Ｘ線に沿う断面図である。
【図１１】図１０中のＸＩ部を拡大して示す断面図である。
【図１２】図１１に示されたグロメットの変形例の断面図である。
【図１３】図１１に示されたグロメットの他の変形例の断面図である。
【図１４】本発明のグロメットの他の変形例の連結筒部の断面図である。
【符号の説明】
【００４６】
１  グロメット
２  嵌合筒部
３  連結筒部
４  車体パネル（パネル）
５  孔
６  トランクパネル（パネル）
７  孔
１１  蛇腹筒部
１２  リブ
【図１】
2010148203.tif 000003
【図２】
2010148203.tif 000004
【図３】
2010148203.tif 000005
【図４】
2010148203.tif 000006
【図５】
2010148203.tif 000007
【図６】
2010148203.tif 000008
【図７】
2010148203.tif 000009
【図８】
2010148203.tif 000010
【図９】
2010148203.tif 000011
【図１０】
2010148203.tif 000012
【図１１】
2010148203.tif 000013
【図１２】
2010148203.tif 000014
【図１３】
2010148203.tif 000015
【図１４】
2010148203.tif 000016